(57)【要約】【課題】本発明は、ランプ内部の光源を便利に取り替えることができる発光ダイオードランプを提供することである。【解決手段】本発明に係る発光ダイオードランプは、ハウジングと、少なくとも１つの発光ダイオードモジュールと、前記発光ダイオードモジュールを前記ハウジングの内部に固定する固定構造と、を備え、前記固定構造は、前記発光ダイオードモジュールの両端をそれぞれに固定するほぞ及び締め具を備え、前記締め具は、前記ハウジングの内部に固定されるベースと前記ベースの片側に連接されるロックアームとを備え、前記ベースの一側には、第一突起及び前記第一突起の両側に位置する第二突起が設置され、前記ロックアームの一端は、前記ベースに枢着され、前記ロックアームの他端には、前記第一突起と係合するための収容スロットが開設され、前記第一突起と前記収容スロットとの係合を介して前記発光ダイオードモジュールの一端を固定する。【選択図】図２
2012089504.tif 000002
【特許請求の範囲】
【請求項１】
ハウジングと、少なくとも１つの発光ダイオードモジュールと、前記発光ダイオードモジュールを前記ハウジングの内部に固定する固定構造と、を備えてなる発光ダイオードランプであって、
前記固定構造は、前記発光ダイオードモジュールの両端をそれぞれ固定するほぞ及び締め具を備え、
前記締め具は、前記ハウジングの内部に固定されるベース及び前記ベースの片側に連接されるロックアームを備え、前記ベースの一側には、第一突起及び前記第一突起の両側に位置する第二突起が設置され、前記ロックアームの一端は、前記ベースに枢着され、前記ロックアームの他端には、前記第一突起と係合するための収容スロットが開設され、前記第一突起と前記収容スロットとの係合を介して前記発光ダイオードモジュールの一端を固定することを特徴とする発光ダイオードランプ。
【請求項２】
前記発光ダイオードモジュールは、支持板と、前記支持板に固定される電気回路板と、前記電気回路板に設置される発光ダイオードと、を備え、前記支持板の相対する両端には、外へ延伸する嵌合部が形成され、前記嵌合部は、前記ほぞ及び前記締め具とそれぞれ係合することを特徴とする請求項１に記載の発光ダイオードランプ。
【請求項３】
前記ほぞは、前記ハウジングに固定される底板と、前記底板の相対する両端から上へ延伸する側板と、を備え、前記側板には、前記支持板の嵌合部を挿設するための貫通孔が開設されることを特徴とする請求項２に記載の発光ダイオードランプ。
【請求項４】
前記発光ダイオードランプは、前記ハウジングに連接されるカバーと、前記カバー及びハウジングを固定する係合構造と、を更に備え、前記カバーは、フックを備え、前記係合構造は、前記ハウジングに固定される固定部、バックル部及び接触部を備え、前記バックル部は、前記カバーのフックと係合し、前記接触部を押圧することによって、前記バックル部と前記フックとは分離し、これにより前記カバーが開くことを特徴とする請求項１〜３のいずれか一項に記載の発光ダイオードランプ。
【請求項５】
ハウジングと、複数の発光ダイオードモジュールと、前記発光ダイオードモジュールを前記ハウジングの内部に固定する固定構造と、を備える発光ダイオードランプであって、前記固定構造は、複数のほぞ及び締め具を備え、各ほぞの相対する両端には、対応する発光ダイオードモジュールの第一端を挿設するための側板がそれぞれに形成され、各締め具は、前記ハウジングに固定されるベースと前記ベースに枢着されるロックアームとを備え、前記ロックアームの自由端は、前記ベースと係合し、前記発光ダイオードモジュールの第二端を固定することを特徴とする発光ダイオードランプ。
【請求項６】
前記締め具のベースの一側には、第一突起及び前記第一突起の両側に位置する第二突起が設置され、前記締め具のロックアームの自由端の内側には、前記第一突起と係合するための収容スロットが開設されることを特徴とする請求項５に記載の発光ダイオードランプ。
【発明の詳細な説明】
【技術分野】
【０００１】
本発明は、照明装置に関し、特に発光ダイオードランプに関するものである。
【背景技術】
【０００２】
従来の室内用発光ダイオードランプは、一般的にハウジングと、前記ハウジングの内部に設置された発光ダイオード光源と、前記ハウジングの光出射口に覆設されたカバーと、を備える。前記発光ダイオード光源及び前記カバーは、一般的にネジによって前記ハウジングに固定される。しかし、ネジを使用する固定方式は、着脱が不便であり、前記発光ダイオードランプを修理しようとする際、ランプ全体を分解することが必要となり、面倒である。特に、クリーンルームでは、室外の空気と室内の空気とが連通することを防止する必要性から、ランプを取り外すことができず、発光ダイオード光源を取り替え難い。
【発明の概要】
【発明が解決しようとする課題】
【０００３】
前記課題を解決するために、本発明は、ランプ内部の光源を便利に取り替えることができる発光ダイオードランプを提供する。
【課題を解決するための手段】
【０００４】
本発明に係る発光ダイオードランプは、ハウジングと、少なくとも１つの発光ダイオードモジュールと、前記発光ダイオードモジュールを前記ハウジングの内部に固定する固定構造と、を備え、前記固定構造は、前記発光ダイオードモジュールの両端をそれぞれに固定するほぞ及び締め具を備え、前記締め具は、前記ハウジングの内部に固定されるベース及び前記ベースの片側に連接されるロックアームを備え、前記ベースの一側には、第一突起及び前記第一突起の両側に位置する第二突起が設置され、前記ロックアームの一端は、前記ベースに枢着され、前記ロックアームの他端には、前記第一突起と係合するための収容スロットが開設され、前記第一突起と前記収容スロットとの係合を介して前記発光ダイオードモジュールの一端を固定する。
【０００５】
本発明に係る発光ダイオードランプは、ハウジングと、複数の発光ダイオードモジュールと、前記発光ダイオードモジュールを前記ハウジングの内部に固定する固定構造と、を備え、前記固定構造は、複数のほぞ及び締め具を備え、各ほぞの相対する両端には、対応する発光ダイオードモジュールの第一端を挿設するための側板がそれぞれ形成され、各締め具は、前記ハウジングに固定されるベース及び前記ベースに枢着されるロックアームを備え、前記ロックアームの自由端は、前記ベースと係合し、これにより前記発光ダイオードモジュールの第二端を固定する。
【発明の効果】
【０００６】
従来の技術と比べると、本発明に係る発光ダイオードランプにおいて、光ダイオードモジュールの両端は、ほぞ及び締め具によってそれぞれ固定され、前記締め具を利用することにより発光ダイオードモジュールを簡単に取り替えることができる。
【図面の簡単な説明】
【０００７】
【図１】本発明の実施形態に係る発光ダイオードランプの構造を示す図である。
【図２】図１に示した発光ダイオードランプが開いた状態を示す図である。
【図３】図１に示した発光ダイオードランプの発光ダイオードモジュールの分解図である。
【図４】図２に示した発光ダイオードランプのＩＶ部分の局部拡大図である。
【図５】図２に示した発光ダイオードランプのＶ部分の局部拡大図である。
【図６】図２に示した発光ダイオードランプの締め具が開いた状態を示す図である。
【図７】図１に示した発光ダイオードランプの係合構造のＩＩＩ―ＩＩＩに沿う断面図である。
【図８】図２に示した発光ダイオードランプの係合構造の立体図である。
【発明を実施するための形態】
【０００８】
以下、図面を参照して、本発明の実施例について説明する。
【０００９】
図１及び図２を参照すると、本発明の第一実施例に係る発光ダイオードランプ１００は、ハウジング１０と、カバー２０と、係合構造４０と、前記ハウジング１０の内部に固定された複数の発光ダイオードモジュール３０と、前記発光ダイオードモジュール３０を固定している固定構造５０と、を備える。
【００１０】
前記ハウジング１０は、放熱性が優れる材料からなり、前記発光ダイオードモジュール３０から生じる熱量を放熱するために用いられる。前記ハウジング１０は、底壁１１及び少なくとも１つの側壁１２を備える。前記底壁１１は、円形、方形或いは三角形などである。本実施例において、前記底壁１１は、長方形であり、前記ハウジング１０は、４つの側壁１２を備える。前記底壁１１及び側壁１２は、前記発光ダイオードモジュール３０を収容するための収容空間（図示せず）を形成する。前記収容空間の、前記底壁１１から離れる一端には、開口が形成される。
【００１１】
前記カバー２０は、前記収容空間の開口に覆設される。前記カバー２０の形状は、前記ハウジング１０の形状と対応する円形、方形或いは三角形などである。本実施例において、前記カバー２０は、長方形であり、透明部２１及び前記透明部２１を囲むフレーム２２を備える。前記フレーム２２は、前記ハウジング１０の１つの側壁１２に枢着される第一エッジ２２１及び前記第一エッジ２２１に平行する第二エッジ２２２を備える。具体的には、前記第一エッジ２２１は、ヒンジによって前記ハウジング１０の側壁１２に枢着される。前記フレーム２２の第二エッジ２２２には、前記ハウジング１０の底壁１１へ延伸するフック２２３（図７参照）が形成される。前記フレーム２２の第二エッジ２２２の、前記底壁１１から離れる外表面には、少なくとも１つの把持部２２５が形成され、前記カバー２０を着脱する際、前記把持部２２５は、前記カバー２０を把持するために用いられる。なお、前記フレーム２２が透明材料からなる際、前記フレーム２２及び前記透明部２１は、一体に成型することもできる。
【００１２】
図３を参照すると、前記発光ダイオードモジュール３０は、前記ハウジング１０及び前記カバー２０の間に収容される。本実施例において、前記発光ダイオードモジュール３０の数量は、６つであり、該６つの発光ダイオードモジュール３０は、２つずつ直線状に配置される。各発光ダイオードモジュール３０は、支持板３１と、前記支持板３１に設置される絶縁熱伝導板３３と、前記絶縁熱伝導板３３に設置される電気回路板３５と、前記電気回路板３５に設置される発光ダイオード３７と、を備える。前記支持板３１は、長方形の板状を呈し、長方形の本体部３１１及び前記本体部３１１の短手方向の２つの側辺から外へ延伸する嵌合部３１２を備える。各前記嵌合部３１２は、舌状を呈し、先ず前記本体部３１１から上方へ垂直的に延伸し、次いで前記本体部３１１から離れる水平方向に沿って湾曲する。前記支持板３１は、大きい強度及び高熱伝導性を持つアルミニウムなどの金属材料からなる。前記絶縁熱伝導板３３及び前記電気回路板３５は、前記本体部３１１の形状と対応し、且つ固定部品（図示せず）によって前記本体部３１１に固定される。前記発光ダイオード３７は、互いに離間して前記電気回路板３５に直線状に排列される。他の実施例において、前記電気回路板３５を前記支持板３１に直接的に設置させることによって、前記絶縁熱伝導板３３を省略することができる。
【００１３】
図４乃至図６を参照すると、前記固定構造５０は、前記発光ダイオードモジュール３０の両端を前記ハウジング１０の底壁１１にそれぞれに固定する、複数のほぞ７０及び締め具８０を備える。各ほぞ７０は、縦に排列された隣り合う２つ発光ダイオードモジュール３０の間にそれぞれに設置され、底板７１及び前記底板７１の相対する両端から上へ垂直的に延伸する側板７３を備える。各前記側板７３の中部には、前記支持板３１の嵌合部３１２を挿設するための細長い貫通孔７３０が開設される。各前記締め具８０は、対応する発光ダイオードモジュール３０の他端に設置され、前記ほぞ７０と共に前記発光ダイオードモジュール３０の他端を固定する。
【００１４】
各前記締め具８０は、ベース８１及び前記ベース８１の片側に連接するロックアーム８５を備える。前記ベース８１の両側には、上へ延伸する連接壁８３及び固定壁８４それぞれが形成され、前記ベース８１には、前記連接壁８３から固定壁８４までの方向に沿って、前記ベース８１と前記発光ダイオードモジュール３０との摩擦力を増加させるための複数のキャビティ８１１が開設される。前記ロックアーム８５は、前記前記ベース８１の連接壁８３の中部に連接し、前記ロックアーム８５の自由端は、前記ベース８１の固定壁８４と係合する。前記ベース８１の中部には、リベットなどの固定部品によって前記ベース８１を前記ハウジング１０の底壁１１に固定するための固定孔８１０が開設される。前記固定壁８４の外側面には、外側へ延伸する第一突起８４１及び前記第一突起８４１の両側に位置する第二突起８４２が形成される。前記第一突起８４１は、楔型を呈し、前記第一突起８４１の厚さは、前記固定壁８４の頂部に近い一端から前記固定壁８４の中部に向かって次第に大きくなる。各前記第二突起８４２は、前記第一突起８４１と離間して台形状を呈し、各第二突起８４２の前記第一突起８４１に近い一側には、前記第一突起８４１に向かって傾斜するガイド面８４３が形成される。前記ロックアーム８５の両側には、前記ベース８１へ延伸するシート状の押圧部８６がそれぞれ形成される。前記ロックアーム８５の自由端の前記ベース８１に向かう一側には、前記ベース８１へ延伸するフック部８７が形成され、前記フック部８７の内側には、前記第一突起８４１と係合するための収容スロット８７０が開設される。本実施例において、前記締め具８０は、プラスチック材料から一体に成型される。
【００１５】
前記発光ダイオードモジュール３０を前記ハウジング１０の底壁１１に装着する際、先ず前記発光ダイオードモジュール３０の支持板３１の一端の嵌合部３１２を、前記底壁１１の中部に固定されたほぞ７０の貫通孔７３０に挿し込み、それから、前記支持板３１の他端の嵌合部３１２を、対応する前記締め具８０のベース８１に掛ける。最後に、前記締め具８０のロックアーム８５を回転させて前記嵌合部３１２を押圧し、前記フック部８７と前記第一突起８４１を係合させることによって固定する。前記ロックアーム８５の押圧部８６は、前記支持板３１の嵌合部３１２を押圧し、従って、前記発光ダイオードモジュール３０を固定する。他の実施例において、前記ほぞ７０の構造を、前記締め具８０の構造と同一とすることもできる。即ち、各発光ダイオードモジュール３０の両端は、２つの締め具８０によって固定される。
【００１６】
図７及び図８を参照すると、前記係合構造４０は、前記ハウジング１０の側壁１２に固定され、前記カバー２０のフック２２３と共に前記カバー２０を固定するために用いられる。本実施例において、前記係合構造４０は弾性板であり、順次に連接している固定部４１、第一連接部４２、バックル部４３、第二連接部４４及び接触部４５を備える。前記固定部４１、第一連接部４２、バックル部４３、第二連接部４４及び接触部４５は、一体に成型することが好ましい。
【００１７】
前記固定部４１は、前記ハウジング１０の側壁１２に固定される。前記側壁１２は、前記底壁１１と平行であるプラットフォーム１１１を備え、前記固定部４１は、前記プラットフォーム１１１に固定される。前記第一連接部４２は、前記固定部４１の一端から、前記底壁１１から離れる方向に向かって延伸する。本実施例において、前記第一連接部４２は、前記プラットフォーム１１１に直交する。前記第二連接部４４は、前記カバー２０の第一エッジ２２１に向かう第一側部及び前記第一側部と相対する第二側部を備え、前記接触部４５及び前記バックル部４３は、前記第二連接部４４の第一側部と第二側部それぞれに配置される。前記バックル部４３の、前記第二連接部４４の第一側部に近い一端は、前記第一連接部４２と連接し、前記バックル部４３の前記第一連接部４２の第一側部から離れる他端は、前記第二連接部４４によって前記接触部４５の前記第二連接部４４の第二側部に近い一端に接続される。前記バックル部４３は、前記カバー２０のフック２２３と係合するために用いられる。本実施例において、前記バックル部４３は、前記第一連接部４２に直交する。前記カバー２０のフック２２３と前記バックル部４３との係合が便利なように、前記バックル部４３と前記第二連接部４４との夾角には、鋭角を選択することが好ましい。
【００１８】
前記フレーム２２の、前記接触部４５に対応する位置には、スルーホール２２７が開設され、指や棒状部品を利用して前記スルーホール２２７を通して前記接触部４５を押圧することによって、前記第一連接部４２を変形させ、前記バックル部４３と前記フック２２３とを分離させ、これにより、前記カバー２０を開けることができる。前記接触部４５にかける圧力を減らすために、前記第一連接部４２には、通孔４２１がさらに開設され、前記第一連接部４２の変形のために必要な力を減らす。本実施例において、前記接触部４５が前記カバー２０の内側に位置するので、前記接触部４５に不注意な押圧を行って、前記カバー２０の望ましくない開放を引き起こすことを防止できる。
【００１９】
本実施例において、発光ダイオードモジュール３０の両端は、固定構造５０のほぞ７０及び締め具８０によってそれぞれ固定される。従って、発光ダイオードモジュール３０を取り替えることが便利になり、埃がクリーンルームに入ることを防止できる。なお、カバーの係合構造４０の接触部４５を押圧することによって、バックル部４３とカバーのフック２２３とを分離させ、カバーを開けることが便利になる。
【符号の説明】
【００２０】
１００  発光ダイオードランプ
１０  ハウジング
１１  底壁
１２  側壁
２０  カバー
２１  透明部
２２  フレーム
２２１  第一エッジ
２２２  第二エッジ
２２３  フック
２２５  把持部
２２７  スルーホール
３０  発光ダイオードモジュール
３１  支持板
３１１  本体部
３１２  嵌合部
３３  絶縁熱伝導板
３５  電気回路板
３７  発光ダイオード
４０  係合構造
４１  固定部
４２  第一連接部
４２１  通孔
４３  バックル部
４４  第二連接部
４５  接触部
５０  固定構造
７０  ほぞ
７１  底板
７３  側板
７３０  貫通孔
８０  締め具
８１  ベース
８１０  固定孔
８１１  キャビティ
８３  連接壁
８４  固定壁
８４１  第一突起
８４２  第二突起
８５  ロックアーム
８６  押圧部
８７  フック部
８７０  収容スロット
【図１】
2012089504.tif 000003
【図２】
2012089504.tif 000004
【図３】
2012089504.tif 000005
【図４】
2012089504.tif 000006
【図５】
2012089504.tif 000007
【図６】
2012089504.tif 000008
【図７】
2012089504.tif 000009
【図８】
2012089504.tif 000010